(57)【特許請求の範囲】
【請求項１】
複数の衛星システムの位置情報衛星を検索し、検索によって捕捉した位置情報衛星から送信される衛星信号を受信する受信部と、
優先的に検索する優先衛星システムを設定する衛星システム設定部と、
受信処理の実行を指示する受信指示部と、
前記受信指示部による指示があった場合に、前記受信部を制御して受信処理を実行する受信制御部と、を備え、
前記衛星システム設定部は、
予め設定された所定の衛星システムの位置情報衛星が前記受信部で捕捉された場合、前記所定の衛星システムを、前記優先衛星システムに設定し、
前記受信制御部は、受信処理を実行する場合、前記所定の衛星システムが前記優先衛星システムに設定されている場合は、前記所定の衛星システムの位置情報衛星を優先的に検索し、
前記受信制御部は、衛星信号を受信して位置情報を算出して取得する測位受信処理を実行し、
前記衛星システム設定部は、測位受信処理によって前記所定の衛星システムの位置情報衛星が前記受信部で捕捉された場合、前記所定の衛星システムを前記優先衛星システムに設定する
ことを特徴とする電子時計。
【請求項２】
複数の衛星システムの位置情報衛星を検索し、検索によって捕捉した位置情報衛星から送信される衛星信号を受信する受信部と、
優先的に検索する優先衛星システムを設定する衛星システム設定部と、
受信処理の実行を指示する受信指示部と、
前記受信指示部による指示があった場合に、前記受信部を制御して受信処理を実行する受信制御部と、を備え、
前記衛星システム設定部は、
予め設定された所定の衛星システムの位置情報衛星が前記受信部で捕捉された場合、前記所定の衛星システムを、前記優先衛星システムに設定し、
前記受信制御部は、受信処理を実行する場合、前記所定の衛星システムが前記優先衛星システムに設定されている場合は、前記所定の衛星システムの位置情報衛星を優先的に検索し、
前記受信制御部は、衛星信号を受信して時刻情報を取得する測時受信処理を実行する場合、前記所定の衛星システムが前記優先衛星システムに設定されている場合は、前記所定の衛星システムの位置情報衛星を優先的に検索する
ことを特徴とする電子時計。
【請求項３】
複数の衛星システムの位置情報衛星を検索し、検索によって捕捉した位置情報衛星から送信される衛星信号を受信する受信部と、
優先的に検索する優先衛星システムを設定する衛星システム設定部と、
受信処理の実行を指示する受信指示部と、
前記受信指示部による指示があった場合に、前記受信部を制御して受信処理を実行する受信制御部と、を備え、
前記衛星システム設定部は、
予め設定された所定の衛星システムの位置情報衛星が前記受信部で捕捉された場合、前記所定の衛星システムを、前記優先衛星システムに設定し、
前記受信制御部は、受信処理を実行する場合、前記所定の衛星システムが前記優先衛星システムに設定されている場合は、前記所定の衛星システムの位置情報衛星を優先的に検索し、
前記所定の衛星システムは、地域的衛星測位システムである
ことを特徴とする電子時計。
【請求項４】
請求項３に記載の電子時計において、
前記所定の衛星システムは、準天頂衛星システムである
ことを特徴とする電子時計。
【請求項５】
複数の衛星システムの位置情報衛星を検索し、検索によって捕捉した位置情報衛星から送信される衛星信号を受信する受信部と、
優先的に検索する優先衛星システムを設定する衛星システム設定部と、
受信処理の実行を指示する受信指示部と、
前記受信指示部による指示があった場合に、前記受信部を制御して受信処理を実行する受信制御部と、を備え、
前記衛星システム設定部は、
予め設定された所定の衛星システムの位置情報衛星が前記受信部で捕捉された場合、前記所定の衛星システムを、前記優先衛星システムに設定し、
前記受信制御部は、受信処理を実行する場合、前記所定の衛星システムが前記優先衛星システムに設定されている場合は、前記所定の衛星システムの位置情報衛星を優先的に検索し、
前記衛星システム設定部は、予め設定された設定解除条件に該当した場合に、前記所定の衛星システムを前記優先衛星システムとする設定を解除する
ことを特徴とする電子時計。
【請求項６】
請求項５に記載の電子時計において、
前記設定解除条件は、前記所定の衛星システムの位置情報衛星が、前記受信部で捕捉されない状態が所定期間継続したかである
ことを特徴とする電子時計。
【請求項７】
請求項５または請求項６に記載の電子時計において、
前記設定解除条件は、受信処理の結果、前記所定の衛星システムの位置情報衛星が、前
記受信部で捕捉されない場合が、所定回数連続したかである
ことを特徴とする電子時計。
【請求項８】
複数の衛星システムの位置情報衛星を検索し、検索によって捕捉した位置情報衛星から送信される衛星信号を受信する受信部と、
優先的に検索する優先衛星システムを設定する衛星システム設定部と、
受信処理の実行を指示する受信指示部と、
前記受信指示部による指示があった場合に、前記受信部を制御して受信処理を実行する受信制御部と、を備え、
前記衛星システム設定部は、
予め設定された所定の衛星システムの位置情報衛星が前記受信部で捕捉された場合、前記所定の衛星システムを、前記優先衛星システムに設定し、
前記受信制御部は、受信処理を実行する場合、前記所定の衛星システムが前記優先衛星システムに設定されている場合は、前記所定の衛星システムの位置情報衛星を優先的に検索し、
前記受信部が捕捉した位置情報衛星から送信される衛星信号の信号強度を計測する信号強度計測部を備え、
前記所定の衛星システムは、複数あり、
前記衛星システム設定部は、前記所定の衛星システムの位置情報衛星が前記受信部で捕捉された場合、位置情報衛星が捕捉された前記所定の衛星システムを、前記優先衛星システムに設定し、
前記優先衛星システムに設定された前記所定の衛星システムが複数ある場合、前記受信制御部は、受信処理を実行する場合、各所定の衛星システムにおける前記信号強度の最大値を検出し、前記最大値が高い方の前記所定の衛星システムの位置情報衛星をより優先的に検索する
ことを特徴とする電子時計。
【請求項９】
請求項８に記載の電子時計において、
前記衛星システム設定部は、予め設定された設定解除条件に該当した場合に、前記所定の衛星システムを前記優先衛星システムとする設定を衛星システム毎に解除する
ことを特徴とする電子時計。
【発明の詳細な説明】
【技術分野】
【０００１】
本発明は、位置情報衛星から送信される衛星信号を受信する電子時計に関する。
【背景技術】
【０００２】
ＧＰＳ（Global Positioning System）衛星に加えて準天頂衛星から信号電波を受信する衛星電波受信機が提案されている（特許文献１参照）。
準天頂衛星システム（ＱＺＳＳ:Quasi-Zenith Satellites System）は、日本で常に天頂付近に１機の衛星が見えるように、複数の軌道面（準天頂軌道）にそれぞれ配置された準天頂衛星を組み合わせて利用する衛星システムである。準天頂衛星の軌道は、軌道傾斜角（赤道面からの軌道面の傾き）をもって、地球の自転と同じ周期で地球を周回している。
この準天頂衛星は、日本では常に天頂方向にあることから、ＧＰＳ衛星が山やビルなどで隠れてしまい見えない場所でも、準天頂衛星からの信号は受けることができる可能性が高い。
【０００３】
そして、前記特許文献１の衛星電波受信機は、準天頂衛星をサーチする準天頂衛星サーチ手段と、準天頂衛星サーチ手段による準天頂衛星のサーチ後に、非準天頂衛星をサーチする非準天頂衛星サーチ手段を備えている。この衛星電波受信機は、常に準天頂衛星のサーチを、非準天頂衛星（例えば、ＧＰＳ衛星）のサーチより先に行うことで、衛星の軌道情報を保持していない状態で起動するコールドスタート時の測位にかかる時間を短縮している。
【先行技術文献】
【特許文献】
【０００４】
【特許文献１】特開２００６−３１７２２５号公報
【発明の概要】
【発明が解決しようとする課題】
【０００５】
ところで、前記特許文献１の衛星電波受信機が、電子時計に内蔵された場合、使用環境が、例えば日本から外国に移動する場合がある。この場合は、準天頂衛星を捕捉できない状態で、常に、準天頂衛星のサーチが、非準天頂衛星のサーチより先に行われることになる。このため、例えば、ＧＰＳ衛星を先にサーチする場合と比べて、準天頂衛星をサーチしている時間だけ、受信処理にかかる時間が長くなるという問題がある。
【０００６】
本発明の目的は、電子時計が複数の地域で使用される場合に、各地域での受信処理にかかる時間を短縮できる電子時計を提供することにある。
【課題を解決するための手段】
【０００７】
本発明の電子時計は、複数の衛星システムの位置情報衛星を検索し、検索によって捕捉した位置情報衛星から送信される衛星信号を受信する受信部と、優先的に検索する優先衛星システムを設定する衛星システム設定部と、受信処理の実行を指示する受信指示部と、前記受信指示部による指示があった場合に、前記受信部を制御して受信処理を実行する受信制御部と、を備え、前記衛星システム設定部は、予め設定された所定の衛星システムの位置情報衛星が前記受信部で捕捉された場合、前記所定の衛星システムを、前記優先衛星システムに設定し、前記受信制御部は、受信処理を実行する場合、前記所定の衛星システムが前記優先衛星システムに設定されている場合は、前記所定の衛星システムの位置情報衛星を優先的に検索することを特徴とする。
【０００８】
受信部は、例えば、ＧＰＳなどの全地球航法衛星システム（ＧＮＳＳ：Global Navigation Satellite System）で用いられる位置情報衛星や、ＱＺＳＳなどの地域的衛星測位システム（ＲＮＳＳ:Regional Navigation Satellite System）で用いられる位置情報衛星を検索する。
所定の衛星システムは、例えばＱＺＳＳなどのＲＮＳＳである。ＲＮＳＳは、特定の地域においてのみ、位置情報衛星を捕捉でき、電子時計が特定の地域にある場合は、例えば、ＧＰＳと比べて、位置情報衛星を捕捉しやすい。
所定の衛星システムの位置情報衛星が受信部で捕捉された場合は、電子時計が、所定の衛星システムの位置情報衛星を捕捉できる地域（捕捉可能地域）にあると判断できるため、衛星システム設定部は、所定の衛星システムを優先衛星システムに設定する。そして、受信指示部によって受信処理の実行が指示されると、受信制御部は、所定の衛星システムの位置情報衛星を優先的に検索する。
これによれば、電子時計が所定の衛星システムの捕捉可能地域にある場合、例えば、ＧＰＳ衛星を先に検索する場合と比べて、位置情報衛星の捕捉にかかる時間を短縮できる。
また、所定の衛星システムの位置情報衛星が受信部で捕捉されない場合は、電子時計が、所定の衛星システムの捕捉可能地域にないと判断できるため、衛星システム設定部は、所定の衛星システムを優先衛星システムに設定しない。そして、所定の衛星システムが優先衛星システムに設定されていない状態で、受信指示部によって受信処理の実行が指示されると、受信制御部は、例えばＧＰＳ衛星を先に検索する。
これによれば、電子時計が所定の衛星システムの捕捉可能地域にない場合に、所定の衛星システムの位置情報衛星を優先的に検索する場合と比べて、位置情報衛星の捕捉にかかる時間を短縮できる。
このように、本発明によれば、電子時計が所定の衛星システムの捕捉可能地域にある場合も、別の地域にある場合も、受信処理にかかる時間を短縮できる。
【０００９】
本発明の電子時計において、前記受信制御部は、衛星信号を受信して位置情報を算出して取得する測位受信処理を実行し、前記衛星システム設定部は、測位受信処理によって前記所定の衛星システムの位置情報衛星が前記受信部で捕捉された場合、前記所定の衛星システムを前記優先衛星システムに設定することが好ましい。
【００１０】
測位受信処理は、少なくとも３つの位置情報衛星から衛星信号を受信する必要があるため、１つの位置情報衛星から衛星信号を受信すればよい測時受信処理と比べて、より多くの位置情報衛星を捕捉する場合が多い。
このため、電子時計が所定の衛星システムの捕捉可能地域にある場合に、受信制御部が測位受信処理を実行することで、所定の衛星システムの位置情報衛星が受信部で捕捉される確率を、測時受信処理を実行する場合と比べて高くできる。
このため、衛星システム設定部が、測位受信処理によって所定の衛星システムの位置情報衛星が受信部で捕捉された場合、所定の衛星システムを優先衛星システムに設定することで、測時受信処理による場合と比べて、より高い確率で所定の衛星システムを優先衛星システムに設定できる。
また、測位受信処理は、電子時計が別の地域に移動した場合に実行されることが多いため、測位受信処理に基づいて優先衛星システムの設定を行うことで、電子時計が別の地域に移動し、優先衛星システムの設定を見直す必要があるタイミングで、優先衛星システムの設定を行うことができる。
【００１１】
本発明の電子時計において、前記受信制御部は、衛星信号を受信して時刻情報を取得する測時受信処理を実行する場合、前記所定の衛星システムが前記優先衛星システムに設定されている場合は、前記所定の衛星システムの位置情報衛星を優先的に検索することが好ましい。
【００１２】
測時受信処理は、１つの位置情報衛星から衛星信号を受信すればよい。
このため、測時受信処理を実行する場合は、位置情報衛星を捕捉しやすい所定の衛星システムの位置情報衛星を検索すれば、短時間で必要な数の位置情報衛星を捕捉できる可能性が高い。このため、所定の衛星システムが優先衛星システムに設定されている場合は、所定の衛星システムの位置情報衛星を優先的に検索することで、短時間で必要な数の位置情報衛星を捕捉できるため、受信処理を短時間で終了できる。
【００１３】
本発明の電子時計において、前記所定の衛星システムは、地域的衛星測位システムであることが好ましい。
【００１４】
地域的衛星測位システム（ＲＮＳＳ）は、電子時計が、ＲＮＳＳの捕捉可能地域にある場合、例えばＧＰＳと比べて、位置情報衛星を捕捉しやすい。
このため、電子時計がＲＮＳＳの捕捉可能地域にある場合に、ＲＮＳＳの位置情報衛星を優先的に検索することで、例えば、ＧＰＳ衛星を先に検索する場合と比べて、位置情報衛星の捕捉にかかる時間を短縮できる。
【００１５】
本発明の電子時計において、前記所定の衛星システムは、準天頂衛星システムであることが好ましい。
【００１６】
準天頂衛星システム（ＱＺＳＳ）では、日本において、常に天頂方向に位置情報衛星があるため、位置情報衛星を捕捉できる確率が高い。
このため、電子時計が日本にある場合に、ＱＺＳＳの位置情報衛星（準天頂衛星）を優先的に検索することで、位置情報衛星の捕捉にかかる時間を短縮できる。
【００１７】
本発明の電子時計において、前記衛星システム設定部は、予め設定された設定解除条件に該当した場合に、前記所定の衛星システムを前記優先衛星システムとする設定を解除することが好ましい。
【００１８】
本発明によれば、所定の衛星システムを優先衛星システムに設定した後、設定解除条件に該当した場合には、電子時計が、所定の衛星システムの捕捉可能地域から別の地域に移動したと判断し、衛星システム設定部は、所定の衛星システムを優先衛星システムとする設定を解除する。
これによれば、電子時計が所定の衛星システムの捕捉可能地域から別の地域に移動した場合に、所定の衛星システムの位置情報衛星が優先的に検索されることを防止でき、消費電力を低減できる。
また、電子時計を装着したユーザーが、所定の衛星システムの捕捉可能地域から別の地域に移動した場合に、電子時計のボタンを操作するなどして、前記設定を解除しなくても、自動的に前記設定を解除できるため、使い易さを向上できる。
【００１９】
本発明の電子時計において、前記設定解除条件は、前記所定の衛星システムの位置情報衛星が、前記受信部で捕捉されない状態が所定期間継続したかであることが好ましい。
【００２０】
受信処理は、例えば、２日に１回の頻度で定期的に行われる。このため、所定の衛星システムが優先衛星システムに設定された後、受信間隔よりも長い期間、所定の衛星システムの位置情報衛星が受信部で捕捉されない状態が継続する場合は、電子時計が、所定の衛星システムの捕捉可能地域から、別の地域に移動したと判断できる。
このため、所定期間を受信間隔よりも長い期間に設定し、所定の衛星システムの位置情報衛星が受信部で捕捉されない状態が所定期間継続した場合には、所定の衛星システムを優先衛星システムとする設定を解除することで、電子時計が所定の衛星システムの捕捉可能地域から別の地域に移動した場合に、所定の衛星システムの位置情報衛星が優先的に検索されることを防止でき、消費電力を低減できる。
【００２１】
本発明の電子時計において、前記設定解除条件は、受信処理の結果、前記所定の衛星システムの位置情報衛星が、前記受信部で捕捉されない場合が、所定回数連続したかであることが好ましい。
【００２２】
例えば、ＱＺＳＳでは、準天頂衛星を捕捉できる確率が高い。このため、ＱＺＳＳが優先衛星システムに設定された後、受信処理の結果、準天頂衛星を捕捉できない回数が例えば２回連続した場合は、電子時計が、ＱＺＳＳの捕捉可能地域から別の地域に移動したと判断できる。
このため、所定回数を例えば２回に設定し、受信処理の結果、準天頂衛星を捕捉できない場合が、所定回数連続した場合には、ＱＺＳＳを優先衛星システムとする設定を解除することで、電子時計がＱＺＳＳの捕捉可能地域から別の地域に移動した場合に、準天頂衛星が優先的に検索されることを防止でき、消費電力を低減できる。
【００２３】
本発明の電子時計において、前記受信部が捕捉した位置情報衛星から送信される衛星信号の信号強度を計測する信号強度計測部を備え、前記所定の衛星システムは、複数あり、前記衛星システム設定部は、前記所定の衛星システムの位置情報衛星が前記受信部で捕捉された場合、位置情報衛星が捕捉された前記所定の衛星システムを、前記優先衛星システムに設定し、前記優先衛星システムに設定された前記所定の衛星システムが複数ある場合、前記受信制御部は、受信処理を実行する場合、各所定の衛星システムにおける前記信号強度の最大値を検出し、前記最大値が高い方の前記所定の衛星システムの位置情報衛星をより優先的に検索することが好ましい。
【００２４】
所定の衛星システムは、例えば、ＱＺＳＳと、インドのＩＲＮＳＳ（Indian Regional Navigational Satellite System）と、フランスのＤＯＲＩＳ（Doppler Orbitography and Radio-positioning Integrated by Satellite）と、中国のＢｅｉｄｏｕである。
例えば、準天頂衛星とＢｅｉｄｏｕの位置情報衛星とは、同じ地域で捕捉できる場合があるため、本発明によれば、両方の衛星システムが優先衛星システムに設定されることがある。
この場合、優先衛星システムに設定された各衛星システムにおける前記信号強度の最大値を検出し、前記最大値が高い方の衛星システムの位置情報衛星をより優先的に検索することで、２つの衛星システムのうち、位置情報衛星を捕捉しやすい方の衛星システムを優先的に検索できる。これにより、ＱＺＳＳとＢｅｉｄｏｕとで、検索の優先順位が固定されている場合と比べて、位置情報衛星の捕捉にかかる平均時間を短縮できる。
【００２５】
本発明の電子時計において、前記衛星システム設定部は、予め設定された設定解除条件に該当した場合に、前記所定の衛星システムを前記優先衛星システムとする設定を衛星システム毎に解除することが好ましい。
【００２６】
本発明によれば、例えば、電子時計が、準天頂衛星とＢｅｉｄｏｕの位置情報衛星とを捕捉できる地域にあり、ＱＺＳＳとＢｅｉｄｏｕが優先衛星システムに設定されている状態で、準天頂衛星を受信でき、かつ、Ｂｅｉｄｏｕの位置情報衛星を捕捉できない地域に移動した場合、Ｂｅｉｄｏｕを優先衛星システムとする設定のみを解除でき、ＱＺＳＳを優先衛星システムとする設定は維持できる。例えば両方の設定が一括で解除される場合は、移動先の地域において、ＱＺＳＳが優先衛星システムに再設定されるまでは、準天頂衛星を優先的に検索できないが、本発明によれば、移動先の地域において、最初の受信処理から、準天頂衛星を優先的に検索することができ、受信処理にかかる時間を短縮できる。
【図面の簡単な説明】
【００２７】
【図１】本発明の実施形態に係る電子時計を示す概略図である。
【図２】実施形態における電子時計の平面図である。
【図３】実施形態における電子時計の断面図である。
【図４】実施形態における制御ブロック図である。
【図５】実施形態における記憶装置のデータ構造図である。
【図６】実施形態における受信処理を示すフローチャートである。
【発明を実施するための形態】
【００２８】
以下、本発明の具体的な実施形態を図面に基づいて説明する。
［第１実施形態］
図１は、本実施形態の電子時計１０を示す概略図である。
電子時計１０は、地球の上空を所定の軌道で周回している位置情報衛星のうち、少なくとも１つの位置情報衛星から送信される衛星信号を受信して時刻情報を取得し、少なくとも３つ、好ましくは４つの位置情報衛星から送信される衛星信号を受信して位置情報を算出して取得するように構成されている。
【００２９】
ここで、位置情報衛星としては、地球的衛星測位システム（ＧＮＳＳ）の位置情報衛星であるＧＮＳＳ衛星と、地域的衛星測位システム（ＲＮＳＳ）の位置情報衛星であるＲＮＳＳ衛星とがある。
地球的衛星測位システムとしては、ＧＰＳ（米国）、ＧＬＯＮＡＳＳ（ロシア）、Ｇａｌｉｌｅｏ（ヨーロッパ共同体）、Ｂｅｉｄｏｕ（中国）が例示できる。また、地域的衛星測位システムとしては、準天頂衛星システム（ＱＺＳＳ；日本）、ＩＲＮＳＳ（インド）、ＤＯＲＩＳ（フランス）、Ｂｅｉｄｏｕ（中国）が例示できる。
本実施形態では、ＧＮＳＳとしてＧＰＳ、ＲＮＳＳとしてＱＺＳＳを例示して説明する。したがって、以下の実施形態において、図１に示すＧＰＳ衛星１００をＧＮＳＳ衛星の一例とし、準天頂衛星１０１をＲＮＳＳ衛星の一例とする。
【００３０】
［電子時計の概略構成］
図２は、電子時計１０の平面図であり、図３は、電子時計１０の概略を示す断面図である。
電子時計１０は、図２および図３に示すように、外装ケース３０と、カバーガラス３３と、裏蓋３４とを備えている。外装ケース３０は、金属で形成された円筒状のケース３１に、セラミックで形成されたベゼル３２が嵌合されて構成されている。このベゼル３２の内周側に、プラスチックで形成されたリング状のダイヤルリング４０を介して、円盤状の文字板１１が時刻表示部分として配置されている。
外装ケース３０の側面には、文字板１１の中心より、２時方向の位置にＡボタン５１と、４時方向の位置にＢボタン５２と、３時方向の位置にリューズ５５とが設けられている。
【００３１】
電子時計１０は、図３に示すように、金属製の外装ケース３０の二つの開口のうち、表面側の開口は、ベゼル３２を介してカバーガラス３３で塞がれており、裏面側の開口は金属で形成された裏蓋３４で塞がれている。
外装ケース３０の内側には、ベゼル３２の内周に取り付けられているダイヤルリング４０と、光透過性の文字板１１と、文字板１１を貫通した指針軸２５と、指針軸２５を中心に周回する指針２１，２２，２３と、駆動機構１４０などが備えられている。駆動機構１４０は、図２に示す各指針２１，２２，２３，６１，７１，８１，８２，９１およびカレンダー車１６を駆動する。
指針軸２５は、外装ケース３０の平面視中心を通り、表裏方向に延在する中心軸に沿って設けられている。
【００３２】
ダイヤルリング４０は、外周端が、ベゼル３２の内周面に接触しているとともに、一面がカバーガラス３３と平行である平板部分と、内周端が文字板１１に接触するように、文字板１１側へ傾斜した傾斜部分を備えている。ダイヤルリング４０は、平面視においてはリング形状となっており、断面視においてはすり鉢形状となっている。ダイヤルリング４０の平板部分と、傾斜部分と、ベゼル３２の内周面とによりドーナツ形状の収納空間が形成されており、この収納空間内には、リング状のアンテナ体１１０が収納されている。
【００３３】
文字板１１は、外装ケース３０の内側で時刻を表示する円形の板材であり、プラスチックなどの光透過性の材料で形成され、カバーガラス３３との間に指針２１，２２，２３などを備え、ダイヤルリング４０の内側に配置されている。
文字板１１と、駆動機構１４０が取り付けられている地板１２５との間には、光発電を行うソーラーパネル１３５が備えられている。ソーラーパネル１３５は、光エネルギーを電気エネルギー（電力）に変換する複数のソーラーセル（光発電素子）を直列接続した円形の平板である。文字板１１、ソーラーパネル１３５および地板１２５には、指針軸２５と、指針６１，７１，８１，８２，９１の指針軸（図示せず）とが貫通する穴が形成されている。また、文字板１１およびソーラーパネル１３５には、カレンダー小窓１５の開口部が形成されている。
【００３４】
駆動機構１４０は、地板１２５に取り付けられ、回路基板１２０で裏面側から覆われている。駆動機構１４０は、ステップモーターと歯車などの輪列とを有し、当該ステップモーターが当該輪列を介して指針軸２５等を回転させることにより各指針を駆動する。
駆動機構１４０は、具体的には、第１〜第６駆動機構を備える。第１駆動機構は、第１時刻（ローカルタイム）の「分」および「時」を示す指針２２（分針）および指針２３（時針）を駆動する。また、図２に示す指針２１，６１，７１，８１，８２，９１も同様の駆動機構（図示略）で駆動される。すなわち、第２駆動機構は第１時刻の「秒」を示す指針２１を駆動し、第３駆動機構は曜日を示す指針６１を駆動し、第４駆動機構はモードなどを示す指針７１を駆動し、第５駆動機構は、第２時刻（ホームタイム）の「分」および「時」を示す指針８１（分）、指針８２（時）および第２時刻の午前および午後を示す指針９１を駆動し、第６駆動機構は、カレンダー小窓１５から視認されるカレンダー車１６を駆動する。
【００３５】
回路基板１２０は、受信装置（ＧＰＳモジュール）１２１、制御装置３００、記憶装置２００を備えている。また、この回路基板１２０とアンテナ体１１０とは、アンテナ接続ピン１１５を用い接続されている。受信装置１２１、制御装置３００、記憶装置２００が設けられた回路基板１２０の裏蓋３４側（裏面側）には、これらの回路部品を覆うための回路押さえ１２２が設けられている。また、リチウムイオン電池などの二次電池１３０が、地板１２５と裏蓋３４との間に設けられている。二次電池１３０は、ソーラーパネル１３５が発電した電力で充電される。
【００３６】
［電子時計の表示機構］
文字板１１の外周部を囲むダイヤルリング４０の内周側には、図２に示すように、内周を６０分割にする目盛が表記されている。この目盛を用いて、指針２１は通常時に第１時刻の「秒」を表示し、指針２２は第１時刻の「分」を表示し、指針２３は第１時刻の「時」を表示する。なお、第１時刻の「秒」は、後述する第２時刻の「秒」と同じため、ユーザーは、指針２１を確認することで、第２時刻の「秒」も把握できる。
また、ダイヤルリング４０には、１２分位置にアルファベットの「Ｙ」と、１８分位置にアルファベットの「Ｎ」の英字が表記されている。この英字は、位置情報衛星から受信した衛星信号に基づく各種情報の受信（取得）結果（Ｙ：受信（取得）成功、Ｎ：受信（取得）失敗）を示す。指針２１は、「Ｙ」および「Ｎ」のいずれか一方を指示し、衛星信号の受信結果を表示する。なお、受信結果の表示は、Ａボタン５１を３秒未満押すことで行われる。
【００３７】
指針６１は、文字板１１の中心から２時方向の位置に設けられている。指針６１の回転領域の外周には、七曜を示す、「Ｓ」、「Ｍ」、「Ｔ」、「Ｗ」、「Ｔ」、「Ｆ」、「Ｓ」の英字が表記されている。指針６１は、「Ｓ」〜「Ｓ」のいずれかを指示することで、曜日を表示する。
【００３８】
指針７１は、文字板１１の中心から１０時方向の位置に設けられている。以下、指針７１の回転領域の外周の表記について説明するが、「ｎ時方向」（ｎは任意の自然数）とあるのは、指針７１の指針軸から回転領域の外周をみたときの方向である。
指針７１の回転領域の６時方向から７時方向の範囲の外周には、「ＤＳＴ」の英字と「○」の記号が表記されている。ＤＳＴ（daylight saving time）は夏時間を意味する。指針７１は、これらの英字と記号を指示することで、夏時間（ＤＳＴ：夏時間ＯＮ、○：夏時間ＯＦＦ）の設定を表示する。
【００３９】
指針７１の回転領域の８時方向から９時方向までの範囲の外周には、円周に沿って、９時方向の基端が太く、８時方向の先端が細い三日月鎌状の記号７２が表記されている。この記号７２は二次電池１３０（図３参照）のパワーインジケーターであり、電池残量に応じた位置を指針７１が指示することで電池残量が表示される。なお、指針７１は、通常時、記号７２を指示している。
【００４０】
指針７１の回転領域の１０時方向の外周には、飛行機形状の記号７３が表記されている。この記号は、機内モードを表す。航空機の離着陸時は、航空法によって衛星信号の受信が禁止されている。指針７１は、記号７３を指示することで、機内モードに設定され、受信が行われないことを表示する。
【００４１】
指針７１の回転領域の１１時方向から１２時方向までの範囲の外周には、「１」の数字と「４＋」の記号が表記されている。これらの数字と記号は、衛星信号の受信モードを表す。「１」は時刻情報を受信し内部時刻が修正されること（測時モード）を、「４＋」は時刻情報と軌道情報とを受信し、現在位置である位置情報を算出し、内部時刻と後述するタイムゾーンデータとが修正されること（測位モード）を意味する。
【００４２】
指針８１，８２は、文字板１１の中心から６時方向の位置に設けられている。指針８１は、第２時刻の「分」を表示し、指針８２は、第２時刻の「時」を表示する。
指針９１は、文字板１１の中心から４時方向の位置に設けられ、第２時刻の午前および午後を表示する。
カレンダー小窓１５は、文字板１１を矩形状に開口した開口部に設けられており、開口部からカレンダー車１６に印刷された数字が視認可能となっている。この数字は、年月日の「日」を表す。
【００４３】
またダイヤルリング４０には、内周側の目盛に沿って、協定世界時（ＵＴＣ）との時差を表す時差情報４５が、数字と数字以外の記号とで表記されている。数字の時差情報４５は整数の時差であり、記号の時差情報４５は整数以外の時差であることを表している。指針２１，２２，２３で表示された第１時刻と、ＵＴＣとの時差は、Ｂボタン５２を押すことにより指針２１が指し示す時差情報４５で確認することができる。
また、ダイヤルリング４０の周囲に設けられているベゼル３２には、ダイヤルリング４０に表記されている時差情報４５の時差に対応した標準時を使用しているタイムゾーンの代表都市名を表す都市情報３５が、時差情報４５に併記されている。ここで、時差情報４５や都市情報３５の表記をタイムゾーン表示４６という。本実施形態では、全世界で使用されているタイムゾーンの数と等しいタイムゾーン表示４６が表記されている。
【００４４】
［電子時計の内部構成］
図４は、電子時計１０の制御ブロック図である。
電子時計１０は、図４に示すように、ＣＰＵ（中央処理装置）で構成される制御装置３００、ＲＡＭ（Random Access Memory）やＲＯＭ（Read Only Memory）で構成される記憶装置２００、受信装置１２１、計時装置１５０、入力装置１６０、駆動機構１４０、表示装置１４１を備えている。これらの各装置は、データバスを介してデータを送受信する。
また、電子時計１０は、電源となる充電可能な二次電池１３０（図３参照）を内蔵している。二次電池１３０は、ソーラーパネル１３５から充電回路１３１を介して供給される電力で充電される。
【００４５】
［入力装置］
入力装置１６０は、図２に示すリューズ５５、Ａボタン５１、Ｂボタン５２を備えて構成される。
［表示装置］
表示装置１４１は、図２に示す文字板１１、ダイヤルリング４０、ベゼル３２、指針２１，２２，２３，６１，７１，８１，８２，９１を備えて構成される。
【００４６】
［受信装置］
受信装置１２１は、アンテナ体１１０に接続され、アンテナ体１１０を介して受信した衛星信号を処理して時刻情報や位置情報を取得する。アンテナ体１１０は、ＧＰＳ衛星１００および準天頂衛星１０１（図１参照）から送信され、図３に示すカバーガラス３３とダイヤルリング４０とを通過した衛星信号の電波を受信する。ここで、受信装置１２１は、本発明の受信部の一例である。
【００４７】
そして、受信装置１２１は、図示を略すが、通常のＧＰＳ装置と同様に、ＧＰＳ衛星１００および準天頂衛星１０１から送信される衛星信号を受信してデジタル信号に変換するＲＦ（Radio Frequency）部と、受信信号の相関判定を実行して航法メッセージを復調するＢＢ部（ベースバンド部）と、ＢＢ部で復調された航法メッセージ（衛星信号）から時刻情報や位置情報（測位情報）を取得して出力する情報取得手段とを備えている。
【００４８】
［計時装置］
計時装置１５０は、二次電池１３０に蓄積された電力で駆動される水晶振動子等を備え、水晶振動子の発振信号に基づく基準信号を用いて時刻データを更新する。
【００４９】
［記憶装置］
記憶装置２００は、図５に示すように、時刻データ記憶部２１０と、タイムゾーンデータ記憶部２２０とを備えている。
時刻データ記憶部２１０には、受信時刻データ２１１と、閏秒更新データ２１２と、内部時刻データ２１３と、第１表示用時刻データ２１４と、第２表示用時刻データ２１５と、第１タイムゾーンデータ２１６と、第２タイムゾーンデータ２１７とが記憶される。
受信時刻データ２１１には、衛星信号から取得した時刻情報が記憶される。この受信時刻データ２１１は、通常は計時装置１５０によって１秒毎に更新され、衛星信号を受信した際には、取得した時刻情報が記憶される。
閏秒更新データ２１２には、少なくとも現在の閏秒のデータが記憶される。すなわち、衛星信号のサブフレーム４、ページ１８には、閏秒に関するデータとして、「現在の閏秒」、「閏秒の更新週」、「閏秒の更新日」、「更新後の閏秒」の各データが含まれる。このうち、本実施形態では、少なくとも「現在の閏秒」のデータを、閏秒更新データ２１２に記憶している。
【００５０】
内部時刻データ２１３には、内部時刻情報が記憶される。この内部時刻情報は、受信時刻データ２１１に記憶された時刻と、閏秒更新データ２１２に記憶している「現在の閏秒」とによって更新される。すなわち、内部時刻データ２１３には、ＵＴＣ（協定世界時）が記憶されることになる。受信時刻データ２１１が計時装置１５０で更新される際に、この内部時刻情報も更新される。
【００５１】
第１表示用時刻データ２１４には、内部時刻データ２１３の内部時刻情報に、第１タイムゾーンデータ２１６のタイムゾーンデータ（時差情報）を加味した時刻情報が記憶される。第１タイムゾーンデータ２１６は、ユーザーが手動で選択した場合や測位モードで受信した場合に得られるタイムゾーンデータで設定される。ここで、第１表示用時刻データ２１４の時刻情報は、指針２１，２２，２３によって表示される第１時刻に相当する。
第２表示用時刻データ２１５には、内部時刻データ２１３の内部時刻情報に、第２タイムゾーンデータ２１７のタイムゾーンデータを加味した時刻情報が記憶される。第２タイムゾーンデータ２１７は、ユーザーが手動で選択した場合に得られるタイムゾーンデータで設定される。ここで、第２表示用時刻データ２１５の時刻情報は、指針８１，８２、９１によって表示される第２時刻に相当する。
【００５２】
タイムゾーンデータ記憶部２２０は、位置情報（緯度、経度）とタイムゾーンデータ（時差情報）とを関連付けて記憶している。このため、測位モードで位置情報を取得した場合、制御装置３００は、その位置情報（緯度、経度）に基づいてタイムゾーンデータを取得できるようにされている。
タイムゾーンデータ記憶部２２０には、さらに、都市名とタイムゾーンデータとが関連付けて記憶されている。したがって、ユーザーがリューズ５５の操作によって、現地時刻を知りたい都市名を選択すると、制御装置３００は、タイムゾーンデータ記憶部２２０に対してユーザーが設定した都市名を検索し、その都市名に対応するタイムゾーンデータを取得して、第１タイムゾーンデータ２１６、または、第２タイムゾーンデータ２１７に設定する。
【００５３】
［制御装置］
制御装置３００は、電子時計１０を制御するＣＰＵで構成されている。制御装置３００は、受信指示部３１０、受信制御部３２０、衛星システム設定部３３０、信号強度計測部３４０、時刻修正部３５０、表示制御部３６０を備える。
受信指示部３１０は、衛星信号の受信条件に該当した場合、または、Ａボタン５１が３秒以上押された場合、受信処理の実行を受信制御部３２０に指示する。
受信制御部３２０は、受信指示部３１０による指示があった場合、受信装置１２１を制御して、受信処理を実行する。
【００５４】
衛星システム設定部３３０は、優先的に検索する優先衛星システムの設定および解除を行う。
具体的には、準天頂衛星が受信装置１２１で捕捉された場合、衛星システム設定部３３０は、ＱＺＳＳを優先衛星システムに設定する。
ここで、本実施形態では、ＱＺＳＳが、本発明の所定の衛星システムの一例に相当する。
また、衛星システム設定部３３０は、優先衛星システムを設定した後、予め設定された設定解除条件に該当した場合、ＱＺＳＳを優先衛星システムとする設定を解除する。
本実施形態では、設定解除条件は、準天頂衛星が、受信装置１２１で捕捉されない状態が所定期間継続したかである。所定期間は、例えば、１週間である。
なお、優先衛星システムの設定および解除の情報は、記憶装置２００に記憶される。
【００５５】
信号強度計測部３４０は、受信装置１２１が捕捉した位置情報衛星から送信される衛星信号の信号強度を計測する。
時刻修正部３５０は、衛星信号の受信によって取得した時刻情報や位置情報に基づいて、第１表示用時刻データ２１４および第２表示用時刻データ２１５を修正する。
表示制御部３６０は、駆動機構１４０の動作を制御して、表示装置１４１の表示を制御する。
なお、制御装置３００の機能の詳細については、以下の受信処理で説明する。
【００５６】
［受信処理］
制御装置３００が実行する受信処理について説明する。
受信指示部３１０は、例えば、Ａボタン５１が３秒以上押され、受信操作が行われた場合や、予め設定された受信条件に該当した場合に、受信処理の実行を受信制御部３２０に指示する。
本実施形態では、受信指示部３１０は、Ａボタン５１が３秒以上６秒未満押された場合は、測時受信処理の実行を受信制御部３２０に指示し、Ａボタン５１が６秒以上押された場合は、測位受信処理の実行を受信制御部３２０に指示する。
また、受信指示部３１０は、受信条件に該当した場合は、測時受信処理の実行を受信制御部３２０に指示する。
ここで、受信条件は、例えば、所定の時間間隔（例えば２日）で設定された受信タイミングになった場合である。また、受信条件は、ソーラーパネル１３５による発電量が所定値以上となり、電子時計１０に太陽光が照射されていると判断でき、電子時計１０が衛星信号を受信しやすい屋外にあると判断できる場合などである。
【００５７】
受信制御部３２０は、受信指示部３１０による指示があった場合に、図６に示す受信処理を開始する。すなわち、受信制御部３２０は、測時受信処理の指示があった場合は、測時受信処理を実行し、測位受信処理の指示があった場合は、測位受信処理を実行する。
【００５８】
受信処理が開始されると、受信制御部３２０は、ＱＺＳＳが優先衛星システムに設定されているかを判定する（Ｓ１１）。なお、ＱＺＳＳを優先衛星システムとする設定は、後述するように、受信処理によって準天頂衛星が受信装置１２１で捕捉され、電子時計１０がＱＺＳＳの捕捉可能地域にあると判断できる場合に行われる。
Ｓ１１でＹＥＳと判定された場合、受信制御部３２０は、優先衛星システムに設定されているＱＺＳＳの位置情報衛星（準天頂衛星）を検索（サーチ）する（Ｓ１２）。
【００５９】
次に、受信制御部３２０は、準天頂衛星が受信装置１２１で捕捉されたかを判定する（Ｓ１３）。
Ｓ１３でＹＥＳと判定された場合、電子時計１０がＱＺＳＳの捕捉可能地域にあると判断できるため、衛星システム設定部３３０は、優先衛星システムに設定されているＱＺＳＳを、再度、優先衛星システムに設定する（Ｓ１４）。
そして、衛星システム設定部３３０は、カウンターを０にリセットしてからスタートする（Ｓ１５）。これにより、準天頂衛星が受信装置１２１で最後に捕捉されてからの経過時間の計測が開始される。カウンターは、受信処理が終了した後も計測を継続する。
【００６０】
ここで、受信処理は、例えば、２日に１回の頻度で定期的に行われる。このため、ＱＺＳＳが優先衛星システムに設定された後、受信間隔よりも長い期間、準天頂衛星が受信装置１２１で捕捉されない状態が継続する場合は、電子時計１０が、ＱＺＳＳの捕捉可能地域から、別の地域に移動したと判断できる。
このため、本実施形態では、所定期間を受信間隔よりも長い期間（例えば１週間）に設定し、前記カウンターの値が所定期間（例えば１週間）になった場合、すなわち、準天頂衛星が受信装置１２１で捕捉されない状態が所定期間継続した場合、設定解除条件に該当したとし、衛星システム設定部３３０は、ＱＺＳＳを優先衛星システムとする設定を解除する。
【００６１】
次に、受信制御部３２０は、衛星信号の受信に成功したかを判定する（Ｓ１６）。
Ｓ１６でＹＥＳと判定された場合、時刻修正部３５０は、取得した時刻情報を受信時刻データ２１１に記憶する。これにより、内部時刻データ２１３、第１表示用時刻データ２１４、第２表示用時刻データ２１５が修正される（Ｓ１７）。
なお、受信処理が測位受信処理の場合は、時刻修正部３５０は、取得した位置情報に対応するタイムゾーンデータを、タイムゾーンデータ記憶部２２０から取得し、取得したタイムゾーンデータを、第１タイムゾーンデータ２１６に設定する。これにより、第１表示用時刻データ２１４が修正される。
そして、表示制御部３６０は、駆動機構１４０を制御して、第１表示用時刻データ２１４の第１時刻、および、第２表示用時刻データ２１５の第２時刻を表示装置１４１に表示させ、表示時刻を修正する（Ｓ１８）。そして、受信制御部３２０は、受信処理を終了する。
【００６２】
一方、Ｓ１１でＮＯと判定された場合、受信制御部３２０は、予め設定されている順番に従って、ＧＰＳ衛星を先に検索し、その次に、準天頂衛星を検索する（Ｓ１９）。
また、Ｓ１３でＮＯと判定された場合、および、Ｓ１６でＮＯと判定された場合、Ｓ１９で、受信制御部３２０は、ＧＰＳ衛星を検索する。
【００６３】
次に、受信制御部３２０は、準天頂衛星が受信装置１２１で捕捉されているかを判定する（Ｓ２０）。
Ｓ１１でＮＯと判定された場合は、Ｓ１９で準天頂衛星も検索するため、Ｓ２０でＹＥＳと判定される場合がある。Ｓ２０でＹＥＳと判定された場合、電子時計１０がＱＺＳＳの捕捉可能地域にあると判断できるため、処理がＳ１４に進められ、衛星システム設定部３３０は、ＱＺＳＳを優先衛星システムに設定し、Ｓ１５で、カウンターを０にリセットしてからスタートする。そして、Ｓ１６で、受信制御部３２０は、衛星信号の受信に成功したかを判定する。
一方、Ｓ１３でＮＯと判定された場合、または、Ｓ１６でＮＯと判定された場合は、Ｓ１９でＱＺＳＳを検索しないため、常に、Ｓ２０でＮＯと判定される。
【００６４】
Ｓ２０でＮＯと判定された場合、受信制御部３２０は、衛星信号の受信に成功したかを判定する（Ｓ２１）。
Ｓ２１でＹＥＳと判定された場合、時刻修正部３５０は、取得した時刻情報を受信時刻データ２１１に記憶する。これにより、内部時刻データ２１３、第１表示用時刻データ２１４、第２表示用時刻データ２１５が修正される（Ｓ２２）。
なお、受信処理が測位受信処理の場合は、時刻修正部３５０は、取得した位置情報に対応するタイムゾーンデータを、タイムゾーンデータ記憶部２２０から取得し、取得したタイムゾーンデータを、第１タイムゾーンデータ２１６に設定する。これにより、第１表示用時刻データ２１４が修正される。
そして、表示制御部３６０は、駆動機構１４０を制御して、第１表示用時刻データ２１４の第１時刻、および、第２表示用時刻データ２１５の第２時刻を表示装置１４１に表示させ、表示時刻を修正する（Ｓ２３）。そして、受信制御部３２０は、受信処理を終了する。
【００６５】
一方、Ｓ２１でＮＯと判定された場合、受信制御部３２０は、受信処理が開始されてからの経過時間が、タイムアウト時間かを判定する（Ｓ２４）。
Ｓ２４でＹＥＳと判定された場合、受信制御部３２０は、受信処理を継続しても、衛星信号の受信に成功できる可能性が低いと判断し、受信処理を終了する。
一方、Ｓ２４でＮＯと判定された場合、受信制御部３２０は処理をＳ１９に戻す。これにより、衛星信号の受信に成功するか、タイムアウトするまで、Ｓ１９〜Ｓ２４の処理が繰り返し実行される。
【００６６】
［第１実施形態の作用効果］
準天頂衛星が受信装置１２１で捕捉された場合（Ｓ１３でＹＥＳと判定、Ｓ２０でＹＥＳと判定）は、電子時計１０が、ＧＮＳＳより位置情報衛星を捕捉しやすいＱＺＳＳの捕捉可能地域にあると判断できるため、衛星システム設定部３３０は、ＱＺＳＳを優先衛星システムに設定する（Ｓ１４）。そして、受信指示部３１０によって受信処理の実行が指示されると、受信制御部３２０は、準天頂衛星を優先的に検索する（Ｓ１２）。
これによれば、電子時計１０がＱＺＳＳの捕捉可能地域にある場合、例えば、ＧＰＳ衛星を先に検索する場合と比べて、位置情報衛星の捕捉にかかる時間を短縮できる。
また、準天頂衛星が受信装置１２１で捕捉されない場合は、電子時計１０が、ＱＺＳＳの捕捉可能地域にないと判断できるため、衛星システム設定部３３０は、ＱＺＳＳを優先衛星システムに設定しない。また、ＱＺＳＳを優先衛星システムに設定した後、設定解除条件に該当した場合には、電子時計１０が、ＱＺＳＳの捕捉可能地域から別の地域に移動したと判断し、衛星システム設定部３３０は、ＱＺＳＳを優先衛星システムとする設定を解除する。そして、ＱＺＳＳが優先衛星システムに設定されていない状態で、受信指示部３１０によって受信処理の実行が指示されると、Ｓ１１でＮＯと判定され、Ｓ１９で、受信制御部３２０は、ＧＰＳ衛星を先に検索する。
これによれば、電子時計１０がＱＺＳＳの捕捉可能地域にない場合に、準天頂衛星を優先的に検索する場合と比べて、位置情報衛星の捕捉にかかる時間を短縮できる。
このように、本実施形態によれば、電子時計１０がＱＺＳＳの捕捉可能地域にある場合も、別の地域にある場合も、受信処理にかかる時間を短縮できる。
【００６７】
測位受信処理は、少なくとも３つの位置情報衛星から衛星信号を受信する必要があるため、１つの位置情報衛星から衛星信号を受信すればよい測時受信処理と比べて、より多くの位置情報衛星を捕捉する場合が多い。
このため、電子時計１０がＱＺＳＳの捕捉可能地域にある場合に、受信制御部３２０が測位受信処理を実行することで、準天頂衛星が受信装置１２１で捕捉される確率を、測時受信処理を実行する場合と比べて高くできる。
このため、衛星システム設定部３３０が、測位受信処理によって準天頂衛星が受信装置１２１で捕捉された場合、ＱＺＳＳを優先衛星システムに設定することで、測時受信処理による場合と比べて、より高い確率でＱＺＳＳを優先衛星システムに設定できる。
また、測位受信処理は、電子時計１０が別の地域に移動した場合に実行されることが多いため、測位受信処理に基づいて優先衛星システムの設定を行うことで、電子時計１０が別の地域に移動し、優先衛星システムの設定を見直す必要があるタイミングで、優先衛星システムの設定を行うことができる。
【００６８】
測時受信処理は、１つの位置情報衛星から衛星信号を受信すればよい。
このため、測時受信処理を実行する場合は、位置情報衛星を捕捉しやすいＱＺＳＳの位置情報衛星を検索すれば、短時間で必要な数の位置情報衛星を捕捉できる可能性が高い。このため、ＱＺＳＳが優先衛星システムに設定されている場合は、準天頂衛星を優先的に検索することで、短時間で必要な数の位置情報衛星を捕捉できるため、受信処理を短時間で終了できる。
【００６９】
準天頂衛星が受信装置１２１で捕捉されない状態が所定期間継続した場合には、ＱＺＳＳを優先衛星システムとする設定を解除することで、電子時計１０がＱＺＳＳの捕捉可能地域から別の地域に移動した場合に、準天頂衛星が優先的に検索されることを防止でき、消費電力を低減できる。
また、電子時計１０を装着したユーザーが、ＱＺＳＳの捕捉可能地域から別の地域に移動した場合に、電子時計１０のボタンを操作するなどして、前記設定を解除しなくても、自動的に前記設定を解除できるため、使い易さを向上できる。
【００７０】
［第２実施形態］
第１実施形態の電子時計１０は、ＲＮＳＳの位置情報衛星として、準天頂衛星を受信し、準天頂衛星が受信装置１２１で捕捉された場合、ＱＺＳＳを優先衛星システムに設定している。これに対して、第２実施形態の電子時計は、ＲＮＳＳの位置情報衛星として、ＱＺＳＳ，ＩＲＮＳＳ，ＤＯＲＩＳ，Ｂｅｉｄｏｕの位置情報衛星を受信し、これらの衛星システムの位置情報衛星が受信装置１２１で捕捉された場合、位置情報衛星が捕捉された衛星システムを、優先衛星システムに設定する。
ここで、本実施形態では、ＱＺＳＳ，ＩＲＮＳＳ，ＤＯＲＩＳ，Ｂｅｉｄｏｕが、本発明の所定の衛星システムの一例に相当する。
【００７１】
具体的に、第２実施形態では、優先衛星システムが設定されておらず、Ｓ１１でＮＯと判定された場合、Ｓ１９で、受信制御部３２０は、ＧＰＳ衛星、および、ＱＺＳＳ，ＩＲＮＳＳ，ＤＯＲＩＳ，Ｂｅｉｄｏｕの位置情報衛星を、予め設定された順番で検索する。ここでは、ＧＰＳ衛星をＲＮＳＳよりも先に検索する。
また、優先衛星システムが設定されている場合であって、Ｓ１３でＮＯと判定された場合、または、Ｓ１６でＮＯと判定された場合、Ｓ１９で、受信制御部３２０は、ＧＰＳ衛星、および、優先衛星システムに設定されている衛星システムを除いたＲＮＳＳの位置情報衛星を、予め設定された順番で検索する。ここでは、ＧＰＳ衛星をＲＮＳＳよりも先に検索する。
【００７２】
また、Ｓ２０で、衛星システム設定部３３０は、各ＲＮＳＳの位置情報衛星が受信装置１２１で捕捉されているかを判定する。そして、Ｓ２０でＹＥＳと判定された場合、Ｓ１４で、衛星システム設定部３３０は、ＱＺＳＳ，ＩＲＮＳＳ，ＤＯＲＩＳ，Ｂｅｉｄｏｕのうち、位置情報衛星が捕捉された衛星システムを、優先衛星システムに設定する。すなわち、位置情報衛星が捕捉された衛星システムが複数ある場合には、複数の衛星システムを優先衛星システムに設定する。
また、Ｓ１３で、衛星システム設定部３３０は、優先衛星システムに設定されたＲＮＳＳの位置情報衛星が受信装置１２１で捕捉されているかを判定する。そして、Ｓ１３でＹＥＳと判定された場合、Ｓ１４で、衛星システム設定部３３０は、位置情報衛星が捕捉された衛星システムを、優先衛星システムに設定する。
【００７３】
また、位置情報衛星が受信装置１２１で捕捉されてからの経過時間を計測するカウンターは、ＱＺＳＳ，ＩＲＮＳＳ，ＤＯＲＩＳ，Ｂｅｉｄｏｕ毎に設けられ、衛星システム設定部３３０は、カウンターの値が所定期間になった場合、対応する衛星システムを優先衛星システムとする設定のみを解除する。すなわち、優先衛星システムの設定は、衛星システム毎に解除される。
【００７４】
本実施形態では、Ｓ１１で、優先衛星システムが複数あると判定された場合は、Ｓ１２で、受信制御部３２０は、信号強度計測部３４０が計測した信号強度計測値に基づいて、優先衛星システムに設定された各ＲＮＳＳにおける信号強度計測値の最大値を検出する。そして、受信制御部３２０は、前記最大値が高い方のＲＮＳＳの位置情報衛星をより優先的に検索する。
なお、その他の構成は、第１実施形態の電子時計１０と同様である。
【００７５】
［第２実施形態の作用効果］
例えば、準天頂衛星とＢｅｉｄｏｕの位置情報衛星とは、同じ地域で捕捉できる場合があるため、両方の衛星システムが優先衛星システムに設定されることがある。
この場合、本実施形態では、優先衛星システムに設定された各衛星システムにおける前記信号強度の最大値を検出し、前記最大値が高い方の衛星システムの位置情報衛星をより優先的に検索するため、２つの衛星システムのうち、位置情報衛星を捕捉しやすい方の衛星システムを優先的に検索できる。これにより、ＱＺＳＳとＢｅｉｄｏｕとで、検索の優先順位が固定されている場合と比べて、位置情報衛星の捕捉にかかる平均時間を短縮できる。
【００７６】
本実施形態では、ＲＮＳＳを優先衛星システムとする設定の解除を、衛星システム毎に行う。このため、例えば、電子時計が、準天頂衛星とＢｅｉｄｏｕの位置情報衛星とを捕捉できる地域にあり、ＱＺＳＳとＢｅｉｄｏｕが優先衛星システムに設定されている状態で、準天頂衛星を受信でき、かつ、Ｂｅｉｄｏｕの位置情報衛星を捕捉できない地域に移動した場合、本実施形態によれば、Ｂｅｉｄｏｕを優先衛星システムとする設定のみを解除でき、ＱＺＳＳを優先衛星システムとする設定は維持できる。例えば両方の設定が一括で解除される場合は、移動先の地域において、ＱＺＳＳが優先衛星システムに再設定されるまでは、準天頂衛星を優先的に検索できないが、本実施形態によれば、移動先の地域において、最初の受信処理から、準天頂衛星を優先的に検索することができ、受信処理にかかる時間を短縮できる。
【００７７】
［他の実施形態］
なお、本発明は前述の各実施形態に限定されるものではなく、本発明の目的を達成できる範囲での変形、改良等は本発明に含まれるものである。
【００７８】
前記各実施形態では、優先衛星システムの設定解除条件は、ＲＮＳＳの位置情報衛星が、受信装置１２１で捕捉されない状態が所定期間継続したかであるが、本発明はこれに限定されない。例えば、設定解除条件は、受信処理の結果、ＲＮＳＳの位置情報衛星が、受信装置１２１で捕捉されない場合が、所定回数連続したかであってもよい。所定回数は、例えば、２回である。
例えば、ＱＺＳＳでは、準天頂衛星を捕捉できる確率が高い。このため、ＱＺＳＳが優先衛星システムに設定された後、受信処理の結果、準天頂衛星を捕捉できない回数が例えば２回連続した場合は、電子時計が、ＱＺＳＳの捕捉可能地域から別の地域に移動したと判断できる。
このため、所定回数を例えば２回に設定し、受信処理の結果、準天頂衛星を捕捉できない場合が、所定回数連続した場合には、ＱＺＳＳを優先衛星システムとする設定を解除することで、電子時計がＱＺＳＳの捕捉可能地域から別の地域に移動した場合に、準天頂衛星が優先的に検索されることを防止でき、消費電力を低減できる。
また、前記設定の解除は、自動的に行われるため、使い易さを向上できる。
なお、設定解除条件として、上記期間と回数の条件が両方とも設定されていてもよい。
【００７９】
また、ＲＮＳＳを優先衛星システムとする設定の解除は、タイムゾーンが設定された場合に、設定されたタイムゾーンに応じて行ってもよい。すなわち、設定されたタイムゾーンが、優先衛星システムに設定されているＲＮＳＳの捕捉可能地域ではない場合に、当該設定を解除してもよい。
【００８０】
前記各実施形態では、優先衛星システムに設定される対象の衛星システムは、ＲＮＳＳであるが、本発明はこれに限定されない。例えば、静止衛星型衛星航法補強システム（ＳＢＡＳ：Satellite-based augmentation system）であってもよく、ＧＬＯＮＡＳＳやＧａｌｉｌｅｏなどのＧＮＳＳであってもよい。
【００８１】
前記第２実施形態では、優先衛星システムに設定された衛星システムが複数ある場合、各衛星システムにおける信号強度の最大値を検出し、前記最大値が高い方の衛星システムの位置情報をより優先的に検索しているが、本発明はこれに限定されない。例えば、予め設定された順番で検索を行ってもよい。
【００８２】
前記第２実施形態では、ＲＮＳＳを優先衛星システムとする設定は、衛星システム毎に解除されるが、本発明はこれに限定されない。例えば、一括して解除されてもよい。すなわち、複数のＲＮＳＳが優先衛星システムに設定されている状態で、１つのＲＮＳＳが設定解除条件に該当した場合、ＲＮＳＳを優先衛星システムとする設定をすべて解除してもよい。
【００８３】
前記第２実施形態では、衛星システム設定部３３０は、設定解除条件に該当した場合、該当するＲＮＳＳを優先衛星システムとする設定を解除しているが、本発明はこれに限定されない。例えば、特定のＲＮＳＳが優先衛星システムに設定されている状態で、別のＲＮＳＳの位置情報衛星が受信装置１２１で捕捉された場合、別のＲＮＳＳを優先衛星システムとして上書きして設定するような場合は、衛星システム設定部３３０は、ＲＮＳＳを優先衛星システムとする設定を解除する処理を実行しなくてもよい。
【００８４】
前記各実施形態では、電子時計は、文字板１１や指針等からなる表示装置１４１を備えているが、本発明はこれに限定されない。電子時計は、液晶パネル等からなる時刻表示部を備えていてもよい。この場合、時刻表示部を駆動する駆動体は、液晶パネルを駆動する駆動部を備えて構成される。
また、この場合、電子時計は時刻表示機能を備えていればよく、時刻表示部は、時刻表示専用の表示部である必要はない。このような電子時計としては、ユーザーの腕に装着されて脈拍を計測する脈拍計や、ユーザーがランニングを行う際などにユーザーの腕に装着されて現在位置を計測して蓄積するＧＰＳロガー等のリスト型機器を例示できる。
【符号の説明】
【００８５】
１０…電子時計、１００…ＧＰＳ衛星（位置情報衛星）、１０１…準天頂衛星（位置情報衛星）、１２１…受信装置（受信部）、３１０…受信指示部、３２０…受信制御部、３３０…衛星システム設定部、３４０…信号強度計測部、３５０…時刻修正部、３６０…表示制御部。
【図１】
0006544127.tif 000002
【図２】
0006544127.tif 000003
【図３】
0006544127.tif 000004
【図４】
0006544127.tif 000005
【図５】
0006544127.tif 000006
【図６】
0006544127.tif 000007